(57)【要約】      （修正有）【課題】エッセンシャルビデオの生成方法、装置、機器及び記憶媒体を提供する。【解決手段】自然にスティッチングされて、プロットの展開に筋が通っており且つ人気度の高いプロットセグメントを含むエッセンシャルビデオを生成する方法であって、ドラマのあらすじにおけるプロットキーワードを取得するステップと、プロットキーワードに基づいて、プロットキーワードに対応した第１プロットセグメントを取得するステップと、人気度が予め設定された条件を満たす、第１プロットセグメントと異なる第２プロットセグメントを取得するステップと、第１プロットセグメントと第２プロットセグメントに基づいて、エッセンシャルビデオを生成するステップとを含む。【選択図】図２
2019208239.tif 000002
【特許請求の範囲】
【請求項１】
エッセンシャルビデオの生成方法であって、
ドラマのあらすじにおけるプロットキーワードを取得するステップと、
前記プロットキーワードに基づいて、前記プロットキーワードに対応した第１プロットセグメントを取得するステップと、
人気度が予め設定された条件を満たす、前記第１プロットセグメントと異なる第２プロットセグメントを取得するステップと、
前記第１プロットセグメントと前記第２プロットセグメントに基づいて、エッセンシャルビデオを生成するステップとを含むことを特徴とするエッセンシャルビデオの生成方法。
【請求項２】
前記人気度が予め設定された条件を満たす第２プロットセグメントを取得するステップは、
前記ドラマの再生時間と時間因子に基づいて、エッセンシャル再生時間を決定するステップと、
前記エッセンシャル再生時間とすべての前記第１プロットセグメントの総再生時間に基づいて、人気ビデオ再生時間を決定するステップと、
前記人気ビデオ再生時間に基づいて、前記ドラマに属するプロットセグメントである複数の第３プロットセグメントの中から人気度が予め設定された条件を満たす第２プロットセグメントを取得するステップとを含むことを特徴とする請求項１に記載の方法。
【請求項３】
前記人気ビデオ再生時間に基づいて、複数の第３プロットセグメントの中から人気度が予め設定された条件を満たす第２プロットセグメントを取得する前記ステップは、
人気度に応じて第３プロットセグメントをランキングして、人気度が降順でランキングする第３プロットセグメントを得るステップと、
第２プロットセグメントの総時間が前記人気ビデオ再生時間以上となるまで、人気度の降順で第３プロットセグメントの中から第１プロットセグメントと異なる第２プロットセグメントを順次選別するステップとを含むことを特徴とする請求項２に記載の方法。
【請求項４】
複数の前記第３プロットセグメントの中から人気度が予め設定された条件を満たす第２プロットセグメントを取得する前に、さらに、
前記ドラマの弾幕量に基づいて第３プロットセグメントを取得するステップと、
各々の前記第３プロットセグメントの弾幕量に基づいて各前記第３プロットセグメントの人気度を決定するステップとを含むことを特徴とする請求項２に記載の方法。
【請求項５】
前記第１プロットセグメントと前記第２プロットセグメントに基づいて、エッセンシャルビデオを生成する前記ステップは、
前記第１プロットセグメントの前記ドラマにおける再生開始時間と前記第２プロットセグメントの前記ドラマにおける再生開始時間に基づいて、前記エッセンシャルビデオを生成するステップを含むことを特徴とする請求項１に記載の方法。
【請求項６】
端末機器による、前記ドラマの識別子を持っている前記ドラマへの再生要求を受信するステップと、
前記端末機器に、前記エッセンシャルビデオを含む再生応答を送信するステップとをさらに含むことを特徴とする請求項１から５のいずれか１項に記載の方法。
【請求項７】
ユーザによる前記ドラマのエッセンシャルビデオの第１再生指示に応答して、前記エッセンシャルビデオを再生するステップをさらに含むことを特徴とする請求項１から５のいずれか１項に記載の方法。
【請求項８】
前記エッセンシャルビデオの識別子及び非エッセンシャルビデオの識別子別々に基づいて、再生プロセスにおいて前記エッセンシャルビデオのドラマにおける再生位置及び非エッセンシャルビデオの前記ドラマにおける再生位置をマークするステップをさらに含むことを特徴とする請求項７に記載の方法。
【請求項９】
前記ユーザによる前記非エッセンシャルビデオにおける対象となる非エッセンシャルビデオの第２再生指示に応答して、前記対象となる非エッセンシャルビデオの前記ドラマにおける再生位置に基づいて前記対象となる非エッセンシャルビデオにジャンプするステップと、
前記対象となる非エッセンシャルビデオの再生が終了した後、前記対象となる非エッセンシャルビデオに隣接するエッセンシャルビデオを再生し続けるステップとをさらに含むことを特徴とする請求項８に記載の方法。
【請求項１０】
エッセンシャルビデオの生成装置であって、
ドラマのあらすじにおけるプロットキーワードを取得するために用いられるキーワード取得モジュールと、
前記プロットキーワードに基づいて、前記プロットキーワードに対応した第１プロットセグメントを取得するために用いられる第１セグメント取得モジュールと、
人気度が予め設定された条件を満たす、前記第１プロットセグメントと異なる第２プロットセグメントを取得するために用いられる第２セグメント取得モジュールと、
前記第１プロットセグメントと前記第２プロットセグメントに基づいて、エッセンシャルビデオを生成するために用いられる生成モジュールとを含むことを特徴とするエッセンシャルビデオの生成装置。
【請求項１１】
前記第２セグメント取得モジュールは、具体的には、
前記ドラマの再生時間と時間因子に基づいて、エッセンシャル再生時間を決定し、
前記エッセンシャル再生時間とすべての前記第１プロットセグメントの総再生時間に基づいて、人気ビデオ再生時間を決定し、
前記人気ビデオ再生時間に基づいて、前記ドラマに属するプロットセグメントである複数の第３プロットセグメントの中から人気度が予め設定された条件を満たす第２プロットセグメントを取得するために用いられることを特徴とする請求項１０に記載の装置。
【請求項１２】
前記第２セグメント取得モジュールは、前記人気ビデオ再生時間に基づいて、複数の第３プロットセグメントの中から人気度が予め設定された条件を満たす第２プロットセグメントを取得するために用いられることが、具体的には、
人気度に応じて第３プロットセグメントをランキングして、人気度が降順でランキングする第３プロットセグメントを得ることと、
第２プロットセグメントの総時間が前記人気ビデオ再生時間以上となるまで、人気度の降順で第３プロットセグメントの中から第１プロットセグメントと異なる第２プロットセグメントを順次選別することとを含むことを特徴とする請求項１１に記載の装置。
【請求項１３】
前記第２セグメント取得モジュールはさらに、
前記ドラマの弾幕量に基づいて第３プロットセグメントを取得し、
各々の前記第３プロットセグメントの弾幕量に基づいて各前記第３プロットセグメントの人気度を決定するために用いられることを特徴とする請求項１１に記載の装置。
【請求項１４】
前記生成モジュールは、具体的には、前記第１プロットセグメントの前記ドラマにおける再生開始時間と前記第２プロットセグメントの前記ドラマにおける再生開始時間に基づいて、前記エッセンシャルビデオを生成するために用いられることを特徴とする請求項１０に記載の装置。
【請求項１５】
端末機器による、前記ドラマの識別子を持っている前記ドラマへの再生要求を受信するために用いられる受信モジュールと、
前記端末機器に、前記エッセンシャルビデオを含む再生応答を送信するために用いられる送信モジュールとをさらに含むことを特徴とする請求項１０から１４のいずれか１項に記載の装置。
【請求項１６】
ユーザによる前記ドラマのエッセンシャルビデオの第１再生指示に応答して、前記エッセンシャルビデオを再生するために用いられる再生モジュールをさらに含むことを特徴とする請求項１０から１４のいずれか１項に記載の装置。
【請求項１７】
前記エッセンシャルビデオの識別子及び非エッセンシャルビデオの識別子別々に基づいて、再生プロセスにおいて前記エッセンシャルビデオのドラマにおける再生位置及び非エッセンシャルビデオの前記ドラマにおける再生位置をマークするために用いられるマークモジュールをさらに含むことを特徴とする請求項１６に記載の装置。
【請求項１８】
前記ユーザによる前記非エッセンシャルビデオにおける対象となる非エッセンシャルビデオの第２再生指示に応答して、前記対象となる非エッセンシャルビデオの前記ドラマにおける再生位置に基づいて前記対象となる非エッセンシャルビデオにジャンプし、
前記対象となる非エッセンシャルビデオの再生が終了した後、前記対象となる非エッセンシャルビデオに隣接するエッセンシャルビデオを再生し続けるために用いられるジャンプモジュールをさらに含むことを特徴とする請求項１７に記載の装置。
【請求項１９】
エッセンシャルビデオの生成機器であって、
コンピュータ命令を実行して請求項１から９のいずれか１項に記載の方法を実行するプロセッサ、及び
前記コンピュータ命令を記憶するメモリを含むことを特徴とするエッセンシャルビデオの生成機器。
【請求項２０】
コンピュータ可読記憶媒体であって、
前記記憶媒体における命令がエッセンシャルビデオの生成機器のプロセッサにより実行されると、エッセンシャルビデオの生成機器に請求項１から９のいずれか１項に記載の方法を実行させることを特徴とするコンピュータ可読記憶媒体。
【発明の詳細な説明】
【技術分野】
【０００１】
本発明は、ビデオの技術分野に関し、特にエッセンシャルビデオの生成方法、装置、機器及び記憶媒体に関する。
【背景技術】
【０００２】
ユーザがドラマを観るための時間を節約するために、現在、ビデオを倍速再生する、又は特定の俳優に関するビデオセグメントだけが観られる技術が提案されている。
【０００３】
従来技術では、ビデオを倍速再生し、例えばビデオを２倍速再生すると、ビデオ再生の速度が倍速になるが、再生されるビデオの内容が完全なビデオの内容である。特定の俳優に関するビデオセグメントだけを観たい場合、該俳優がいるショットを含むすべてのビデオセグメントを再生するが、該俳優があるショットを含まないビデオセグメントを再生しないようにし、再生されるビデオの内容がビデオの内容の一部になる。
【０００４】
しかしながら、従来技術には、ドラマのエッセンシャルビデオを取得できないという問題が存在する。
【発明の概要】
【発明が解決しようとする課題】
【０００５】
本発明の実施例は、従来技術においてドラマのエッセンシャルビデオを取得できないという問題を解決するためのエッセンシャルビデオの生成方法、装置、機器及び記憶媒体を提供する。
【課題を解決するための手段】
【０００６】
第１態様によれば、本発明は、
ドラマのあらすじにおけるプロットキーワードを取得するステップと、
前記プロットキーワードに基づいて、前記プロットキーワードに対応した第１プロットセグメントを取得するステップと、
人気度が予め設定された条件を満たす、前記第１プロットセグメントと異なる第２プロットセグメントを取得するステップと、
前記第１プロットセグメントと前記第２プロットセグメントに基づいて、エッセンシャルビデオを生成するステップとを含むエッセンシャルビデオの生成方法を提供する。
【０００７】
選択的に、前記人気度が予め設定された条件を満たす第２プロットセグメントを取得するステップは、
前記ドラマの再生時間と時間因子に基づいて、エッセンシャル再生時間を決定するステップと、
前記エッセンシャル再生時間とすべての前記第１プロットセグメントの総再生時間に基づいて、人気ビデオ再生時間を決定するステップと、
前記人気ビデオ再生時間に基づいて、前記ドラマに属するプロットセグメントである複数の第３プロットセグメントの中から人気度が予め設定された条件を満たす第２プロットセグメントを取得するステップとを含む。
【０００８】
選択的に、前記人気ビデオ再生時間に基づいて、複数の第３プロットセグメントの中から人気度が予め設定された条件を満たす第２プロットセグメントを取得する前記ステップは、
人気度に応じて第３プロットセグメントをランキングして、人気度が降順でランキングする第３プロットセグメントを得るステップと、
第２プロットセグメントの総時間が前記人気ビデオ再生時間以上となるまで、人気度の降順で第３プロットセグメントの中から第１プロットセグメントと異なる第２プロットセグメントを順次選別するステップとを含む。
【０００９】
選択的に、複数の前記第３プロットセグメントの中から人気度が予め設定された条件を満たす第２プロットセグメントを取得する前にさらに、
前記ドラマの弾幕量に基づいて第３プロットセグメントを取得するステップと、
各々の前記第３プロットセグメントの弾幕量に基づいて各前記第３プロットセグメントの人気度を決定するステップとを含む。
【００１０】
選択的に、前記第１プロットセグメントと前記第２プロットセグメントに基づいて、エッセンシャルビデオを生成する前記ステップは、
前記第１プロットセグメントの前記ドラマにおける再生開始時間と前記第２プロットセグメントの前記ドラマにおける再生開始時間に基づいて、前記エッセンシャルビデオを生成するステップを含む。
【００１１】
選択的に、前記方法はさらに、
端末機器による、前記ドラマの識別子を持っている前記ドラマへの再生要求を受信するステップと、
前記端末機器に、前記エッセンシャルビデオを含む再生応答を送信するステップとを含む。
【００１２】
選択的に、前記方法はさらに、
ユーザによる前記ドラマのエッセンシャルビデオの第１再生指示に応答して、前記エッセンシャルビデオを再生するステップを含む。
【００１３】
選択的に、前記方法はさらに、
前記エッセンシャルビデオの識別子及び非エッセンシャルビデオの識別子別々に基づいて、再生プロセスにおいて前記エッセンシャルビデオのドラマにおける再生位置及び非エッセンシャルビデオの前記ドラマにおける再生位置をマークするステップを含む。
【００１４】
選択的に、前記方法はさらに、
前記ユーザによる前記非エッセンシャルビデオにおける対象となる非エッセンシャルビデオの第２再生指示に応答して、前記対象となる非エッセンシャルビデオの前記ドラマにおける再生位置に基づいて前記対象となる非エッセンシャルビデオにジャンプするステップと、
前記対象となる非エッセンシャルビデオの再生が終了した後、前記対象となる非エッセンシャルビデオに隣接するエッセンシャルビデオを再生し続けるステップとを含む。
【００１５】
第２態様によれば、本発明は、
ドラマのあらすじにおけるプロットキーワードを取得するためのキーワード取得モジュールと、
前記プロットキーワードに基づいて、前記プロットキーワードに対応した第１プロットセグメントを取得するために用いられる第１セグメント取得モジュールと、
人気度が予め設定された条件を満たす、前記第１プロットセグメントと異なる第２プロットセグメントを取得するための第２セグメント取得モジュールと、
前記第１プロットセグメントと前記第２プロットセグメントに基づいて、エッセンシャルビデオを生成するために用いられる生成モジュールとを含むエッセンシャルビデオの生成装置を提供する。
【００１６】
選択的に、前記第２セグメント取得モジュールは、具体的には、
前記ドラマの再生時間と時間因子に基づいて、エッセンシャル再生時間を決定し、
前記エッセンシャル再生時間とすべての前記第１プロットセグメントの総再生時間に基づいて、人気ビデオ再生時間を決定し、
前記人気ビデオ再生時間に基づいて、前記ドラマに属するプロットセグメントである複数の第３プロットセグメントの中から人気度が予め設定された条件を満たす第２プロットセグメントを取得するためことに用いられる。
【００１７】
選択的に、前記第２セグメント取得モジュールは、前記人気ビデオ再生時間に基づいて、複数の第３プロットセグメントの中から人気度が予め設定された条件を満たす第２プロットセグメントを取得するために用いられることが、具体的には、
人気度に応じて第３プロットセグメントをランキングして、人気度が降順でランキングする第３プロットセグメントを得ることと、
第２プロットセグメントの総時間が前記人気ビデオ再生時間以上となるまで、人気度の降順で第３プロットセグメントの中から第１プロットセグメントと異なる第２プロットセグメントを順次選別することとを含む。
【００１８】
選択的に、前記第２セグメント取得モジュールはさらに、
前記ドラマの弾幕量に基づいて第３プロットセグメントを取得することと、
各々の前記第３プロットセグメントの弾幕量に基づいて各前記第３プロットセグメントの人気度を決定するために用いられる。
【００１９】
選択的に、前記生成モジュールは、前記第１プロットセグメントの前記ドラマにおける再生開始時間と前記第２プロットセグメントの前記ドラマにおける再生開始時間に基づいて、前記エッセンシャルビデオを生成するために用いられる。
【００２０】
選択的に、前記装置はさらに、
端末機器による、前記ドラマの識別子を持っている前記ドラマへの再生要求を受信するために用いられる受信モジュールと、
前記端末機器に、前記エッセンシャルビデオを含む再生応答を送信するために用いられる送信モジュールとを含む。
【００２１】
選択的に、前記装置はさらに、
ユーザによる前記ドラマのエッセンシャルビデオの第１再生指示に応答して、前記エッセンシャルビデオを再生するために用いられる再生モジュールを含む。
【００２２】
選択的に、前記装置はさらに、
前記エッセンシャルビデオの識別子及び非エッセンシャルビデオの識別子別々に基づいて、再生プロセスにおいて前記エッセンシャルビデオのドラマにおける再生位置及び非エッセンシャルビデオの前記ドラマにおける再生位置をマークするために用いられるマークモジュールを含む。
【００２３】
選択的に、前記装置はさらに、
前記ユーザによる前記非エッセンシャルビデオにおける対象となる非エッセンシャルビデオの第２再生指示に応答して、前記対象となる非エッセンシャルビデオの前記ドラマにおける再生位置に基づいて前記対象となる非エッセンシャルビデオにジャンプし、
前記対象となる非エッセンシャルビデオの再生が終了した後、前記対象となる非エッセンシャルビデオに隣接するエッセンシャルビデオを再生し続けるために用いられるジャンプモジュールを含む。
【００２４】
第３態様によれば、本発明は、
コンピュータ命令を実行して上記第１態様のいずれか１項に記載の方法を実行するプロセッサ、及び
前記コンピュータ命令を記憶するメモリを含むエッセンシャルビデオの生成機器を提供する。
【００２５】
第４態様によれば、本発明は、記憶媒体における命令がエッセンシャルビデオの生成機器のプロセッサにより実行されると、エッセンシャルビデオの生成機器に上記第１態様のいずれか１項に記載の方法を実行させるコンピュータ可読記憶媒体を提供する。
【発明の効果】
【００２６】
本発明によるエッセンシャルビデオの生成方法、装置、機器及び記憶媒体は、ドラマのプロットキーワードに基づいて、プロットキーワードに対応した第１プロットセグメントを取得し、人気度が予め設定された条件を満たす、第１プロットセグメントと異なる第２プロットセグメントを取得し、第１プロットセグメント及び第２プロットセグメントに基づいてエッセンシャルビデオを生成することによって、自然にスティッチングされて、プロットの展開に筋が通っており且つ人気度の高いプロットセグメントを含むエッセンシャルビデオを取得できる。
【図面の簡単な説明】
【００２７】
本発明の実施例又は従来技術における技術案をより明瞭に説明するために、以下、実施例又は従来技術の説明に必要な図面について簡単に説明するが、勿論、以下の説明における図面は本発明の実施例の一部に過ぎず、当業者であれば、創造的な労力を要さずに、これら図面に基づいてほかの図面を想到し得る。
【００２８】
【図１】本発明の実施例によるエッセンシャルビデオの生成方法の応用場面の模式図である。
【図２】本発明の実施例によるエッセンシャルビデオの生成方法の実施例１のフロー模式図である。
【図３Ａ】本発明の実施例によるエッセンシャルビデオの生成方法の実施例２的フロー模式図である。
【図３Ｂ】本発明の実施例によるエッセンシャルビデオの生成方法の実施例２の現在再生画面の模式図である。
【図３Ｃ】本発明の実施例によるエッセンシャルビデオの生成方法の実施例２の現在再生画面の模式図である。
【図３Ｄ】本発明の実施例によるエッセンシャルビデオの生成方法の実施例２の現在再生画面の模式図である。
【図３Ｅ】本発明の実施例によるエッセンシャルビデオの生成方法の実施例２の現在再生画面の模式図である。
【図４】本発明の実施例によるエッセンシャルビデオの生成方法の実施例３のフロー模式図である。
【図５】本発明の実施例によるエッセンシャルビデオの生成装置の実施例１の構造模式図である。
【図６】本発明の実施例によるエッセンシャルビデオの生成装置の実施例２の構造模式図である。
【図７】本発明の実施例によるエッセンシャルビデオの生成装置の実施例３の構造模式図である。
【図８】本発明の実施例によるエッセンシャルビデオの生成機器の構造模式図である。
【発明を実施するための形態】
【００２９】
本発明の実施例の目的、技術案及び利点をより明瞭にするために、以下、本発明の実施例における図面を参照しながら、本発明の実施例における技術案を明瞭且つ完全に説明するが、勿論、説明する実施例は本発明の実施例の一部に過ぎず、すべての実施例ではない。当業者が本発明における実施例に基づいて創造的な努力を要さずに想到し得るすべてのほかの実施例は、本発明の保護範囲に属する。
【００３０】
図１は、本発明の実施例によるエッセンシャルビデオの生成方法の応用場面の模式図である。図１に示されるように、該応用場面は、端末機器とサーバを含み、端末機器とサーバは通信可能に接続され、端末機器はサーバからドラマを取得して再生できる。ここで、端末機器は、例えば携帯電話、タブレット型コンピュータ、スクリーン付きスマートスピーカーなどのスクリーン付きスマート機器であってもよい。
【００３１】
具体的には、端末機器又はサーバによりエッセンシャルビデオを生成できる。さらに選択的に、端末機器によりエッセンシャルビデオを生成する場合、端末機器はサーバからドラマを取得し、端末機器によりドラマのエッセンシャルビデオを取得してエッセンシャルビデオを再生する。又は、さらに選択的に、サーバによりエッセンシャルビデオを生成する場合、サーバはドラマのエッセンシャルビデオを取得し、エッセンシャルビデオを端末機器に送信し、端末機器によりエッセンシャルビデオを再生する。
【００３２】
ドラマは、映画、テレビドラマなどを含む。
【００３３】
エッセンシャルビデオとはドラマの最も重要な部分であり、且つエッセンシャルビデオの時間がドラマの時間より短い。
【００３４】
現在、ドラマにはプロットが長く、ストーリの展開が遅いなどの問題が存在し、その結果、観ているときに早送りをしたり又は諦めたりするユーザが多くなる。本発明の実施例では、ドラマのエッセンシャルビデオを生成することによって、プロットの展開が遅いなどの問題を避け、さらにユーザの視聴体験を向上させることができる。
【００３５】
図２は本発明の実施例によるエッセンシャルビデオの生成方法の実施例１のフロー模式図である。本実施例による方法は、上記エッセンシャルビデオの生成機器により実行でき、該エッセンシャルビデオの生成機器は、具体的には、サーバ又は端末であってもよい。図２に示されるように、本実施例の方法は、ステップ２０１−ステップ２０４を含み得る。
【００３６】
ステップ２０１、ドラマのあらすじにおけるプロットキーワードを取得する。
【００３７】
本ステップでは、あらすじはプロットを簡単且つ明瞭に紹介し、且つ、通常、プロットの筋道を完全に分かりやすく述べて、始めから終わりまで一貫しており、趣旨を詳細に説明する。そのうち、映画のあらすじは映画のプロットを簡単且つ明瞭に紹介し、テレビドラマのあらすじは、エピソードごとにテレビドラマのプロットを簡単且つ明瞭に紹介する。
【００３８】
プロットキーワードとはドラマのプロットを表す単語である。具体的には、ドラマのあらすじを解体して、解体した単語を取得し、解体した単語からプロットキーワードを決定することができる。動詞が動作、状況や変化を述べる単語であるため、動詞によりプロットキーワードを決定できる。選択的に、プロットキーワードは動詞＋名詞の組み合わせ、又は名詞＋動詞＋名詞の組み合わせなどとされる。
【００３９】
前記第１プロットセグメントの数が１つ又は複数であってもよく、すべての前記第１プロットセグメントの再生時間の和がすべての前記第１プロットセグメントの総再生時間に等しい。
【００４０】
なお、あらすじの取得方式について、本発明では限定しない。
【００４１】
ステップ２０２、前記プロットキーワードに基づいて、前記プロットキーワードに対応した第１プロットセグメントを取得する。
【００４２】
本ステップでは、選択的に、ドラマを複数のプロットセグメントに分割し、且つ複数のプロットセグメントのうち各プロットセグメントをセグメント梗概に対応させる。さらに選択的に、前記プロットキーワード及び各プロットセグメントとセグメント梗概の関係に基づいて、前記プロットキーワードとマッチングしたセグメント梗概を決定し、前記プロットキーワードとマッチングしたセグメント梗概に対応するプロットセグメントを前記プロットキーワードに対応した第１プロットセグメントとする。
【００４３】
選択的に、ドラマが映画である場合、前記プロットキーワードは、具体的には、映画のあらすじから取得したプロットキーワードであり、前記各プロットセグメントは、具体的には、前記映画を分割して得たプロットセグメントであるようにしてもよく、ドラマがテレビドラマである場合、前記プロットキーワードは、具体的には、テレビドラマのすべてのエピソードのあらすじから取得したプロットキーワードであり、前記各プロットセグメントは、具体的には、すべてのエピソードのテレビドラマを分割して得たプロットセグメントであるようにしてもよい。
【００４４】
なお、ドラマを複数のプロットセグメントに分割して、プロットセグメントに対応したセグメント梗概を取得するための具体的な方式について、本発明では限定しない。
【００４５】
あらすじは、プロットの筋道を完全に分かりやすく述べて、始めから終わりまで一貫しており、趣旨を詳細に説明するため、あらすじのプロットキーワードに基づいて第１プロットセグメントを特定すると、第１プロットセグメントに基づいて生成したエッセンシャルビデオは、自然にスティッチングされて、且つプロットの展開に筋が通っている。
【００４６】
ステップ２０３、人気度が予め設定された条件を満たす、前記第１プロットセグメントと異なる第２プロットセグメントを取得する。
【００４７】
本ステップでは、選択的に、ドラマを複数のプロットセグメントに分割し、且つ複数のプロットセグメントのうち各プロットセグメントを人気度に対応させる。人気度とはユーザの興味の度合いを示し、プロットセグメントの人気度が高いほど、ユーザがプロットセグメントに対して興味があり、プロットセグメントの人気度が低いほど、ユーザがプロットセグメントに対してあまり興味がないことを示している。
【００４８】
人気度が予め設定された条件を満たすことは、ユーザが所定の程度まで興味があることを示す。選択的に、予め設定された条件は、具体的には、人気度が予め設定された人気度以上であること、及び／又は、人気度が最高のプロットセグメントが予め設定された個数であることを含む。
【００４９】
なお、各プロットセグメントの人気度を取得するための具体的な方式について、本発明では限定しない。
【００５０】
プロットセグメントの人気度がユーザの興味の度合いを示すため、人気度が予め設定された条件を満たす第２プロットセグメントを取得することによって、第２プロットセグメントに基づいて生成したエッセンシャルビデオには人気度の高いプロットセグメントを含み得る。
【００５１】
ステップ２０４、前記第１プロットセグメントと前記第２プロットセグメントに基づいて、エッセンシャルビデオを生成する。
【００５２】
本ステップでは、選択的に、前記第１プロットセグメントと前記第２プロットセグメントをスティッチングすることで、前記第１プロットセグメントと前記第２プロットセグメントを含む前記エッセンシャルビデオを生成する。
【００５３】
本実施例によるエッセンシャルビデオの生成方法は、ドラマのプロットキーワードに基づいて、プロットキーワードに対応した第１プロットセグメントを取得し、人気度が予め設定された条件を満たす、第１プロットセグメントと異なる第２プロットセグメントを取得し、第１プロットセグメントと第２プロットセグメントに基づいてエッセンシャルビデオを生成することによって、自然にスティッチングされて、プロットの展開に筋が通っており且つ人気度の高いプロットセグメントを含むエッセンシャルビデオを取得する。
【００５４】
図３Ａは、本発明の実施例によるエッセンシャルビデオの生成方法の実施例２のフロー模式図である。本実施例では、図２に示される実施例を基に、主に、サーバによりエッセンシャルビデオを生成し、端末によりエッセンシャルビデオを再生する選択的な実施形態が説明されている。図３Ａに示されるように、本実施例の方法は、ステップ３０１−ステップ３０８を含み得る。
【００５５】
ステップ３０１、サーバはドラマのあらすじにおけるプロットキーワードを取得する。
【００５６】
なお、ステップ３０１はステップ２０１と類似しているため、ここで詳細な説明を省略する。
【００５７】
ステップ３０２、前記サーバは前記プロットキーワードに基づいて、前記プロットキーワードに対応した第１プロットセグメントを取得する。
【００５８】
なお、ステップ３０２はステップ２０２と類似しているため、ここで詳細な説明を省略する。
【００５９】
ステップ３０３、前記サーバは、人気度が予め設定された条件を満たす、前記第１プロットセグメントと異なる第２プロットセグメントを取得する。
【００６０】
本ステップでは、選択的に、所望のエッセンシャルビデオの再生時間（即ち、エッセンシャル再生時間）を制限することを考慮すると、前記エッセンシャル再生時間及びすべての前記第１プロットセグメントの総再生時間に基づいて、第２プロットセグメントの再生時間（即ち、人気ビデオ再生時間）を決定する。
【００６１】
選択的に、エッセンシャル再生時間は、予め設定された時間であってもよく、又は前記ドラマの再生時間及び時間因子に基づいて決定されてもよい。選択的に、時間因子の数が１未満であり、前記ドラマの再生時間に前記時間因子を乗算したものをエッセンシャル再生時間とするようにしてもよい。例えば、ドラマの再生時間をｎ、時間因子を１／１０とすると、エッセンシャル再生時間はｎ／１０に等しく、ｎ／１０に小数の部分が存在すれば、整数を取り、例えばｎ／１０が１７５５分間（ｍｉｎｓ）である場合、エッセンシャル再生時間ｎは約１７６ｍｉｎｓである。
【００６２】
又は、選択的に、時間因子の数が１より大きく、前記ドラマの再生時間を前記時間因子で割った結果をエッセンシャル再生時間とするようにしてもよい。
【００６３】
選択的に、前記時間因子は、予め設定されてもよいし、ユーザにより設定されてもよい。時間因子がユーザにより設定されることによって、ユーザはエッセンシャルビデオの時間を設定できるため、エッセンシャルビデオの柔軟性を向上させる。
【００６４】
選択的に、前記エッセンシャル再生時間から前記第１プロットセグメントの総再生時間を減算した結果を人気ビデオ再生時間としてもよい。例えば、ドラマの再生時間が２１６０ｍｉｎｓであり、エッセンシャル再生時間が２１６０／１０＝２１６ｍｉｎｓであり、すべての第１プロットセグメントの総再生時間が１２０ｍｉｎｓであれば、人気ビデオ再生時間は９６ｍｉｎｓである。
【００６５】
さらに、前記人気ビデオ再生時間を決定した後、前記人気ビデオ再生時間に基づいて、前記ドラマに属するプロットセグメントである複数の第３プロットセグメントの中から人気度が予め設定された条件を満たす第２プロットセグメントを取得することができる。前記複数の第３プロットセグメントは第２プロットセグメントの選択範囲を制限できる。選択的に、前記複数の第３プロットセグメントは、前記ドラマのすべてのプロットセグメント、又は、上記ドラマにおいて前記第１プロットセグメント以外のプロットセグメント、又は、具体的には前記ドラマのすべてのプロットセグメントであってもよく前記ドラマの一部のプロットセグメントであってもよい取得しうる前記ドラマのすべてのプロットセグメント、又は、前記ドラマの弾幕量に基づいて取得したプロットセグメントであり、例えば、取得しうる前記ドラマのすべてのプロットセグメントのうち、弾幕量が弾幕量のしきい値より大きいプロットセグメントである。
【００６６】
さらに選択的に、前記複数の第３プロットセグメントに前記第１プロットセグメントを含まない場合、前記人気ビデオ再生時間に基づいて、複数の第３プロットセグメントの中から人気度が予め設定された条件を満たす第２プロットセグメントを取得する前記ステップは、具体的には、
人気度に応じて前記複数の第３プロットセグメントをランキングして、人気度が降順でランキングする第３プロットセグメントを得るステップと、第２プロットセグメントの総時間が前記人気ビデオ再生時間以上となるまで、人気度の降順で前記複数の第３プロットセグメントの中から第２プロットセグメントを順次選別するステップとを含む。
【００６７】
選択的に、前記複数の第３プロットセグメントのうちの各々の前記第３プロットセグメントの弾幕量に基づいて各前記第３プロットセグメントの人気度を決定する。なお、１つの第３プロットセグメントの弾幕量に基づいて該第３プロットセグメントの人気度を決定するための具体的な方式について、本発明では限定しない。例えば、１つの第３プロットセグメントの弾幕量を該第３プロットセグメントの人気度とする。また、例えば、１つの第３プロットセグメントの弾幕量がある範囲にある場合、該範囲に対応した人気度を該第３プロットセグメントの人気度とすることができる。
【００６８】
ステップ３０４、前記サーバは、前記第１プロットセグメントと前記第２プロットセグメントに基づいて、エッセンシャルビデオを生成する。
【００６９】
本ステップでは、各々のプロットセグメントごとに１つの再生開始時間と再生終了時間が対応しており、プロットセグメントの再生開始時間と再生終了時間がいずれも異なるプロットセグメントの間の再生の順番を表すことができる。このため、ステップ３０４は、具体的には、前記第１プロットセグメントの前記ドラマにおける再生開始時間と前記第２プロットセグメントの前記ドラマにおける再生開始時間に基づいて、前記エッセンシャルビデオを生成するステップ、又は、前記第１プロットセグメントの前記ドラマにおける再生終了時間と、前記第２プロットセグメントの前記ドラマにおける再生終了時間に基づいて、前記エッセンシャルビデオを生成するステップを含み得る。
【００７０】
１つのプロットセグメントの再生開始時間は、具体的には、該プロットセグメントの最初フレーム画像のドラマの総再生時間における再生時間、１つのプロットセグメントの再生終了時間は、具体的には、該プロットセグメントの最後フレームの画像のドラマの総再生時間における再生時間であり得る。
【００７１】
なお、すべての前記第１プロットセグメントの総再生時間がエッセンシャル再生時間以上である場合がある。すべての前記第１プロットセグメントの総再生時間がエッセンシャル再生時間に等しい場合、第１プロットセグメントに基づいてエッセンシャルビデオを生成できる。すべての前記第１プロットセグメントの総再生時間がエッセンシャル再生時間より大きい場合、さらにすべての前記第１プロットセグメントの中から予め設定された条件を満たす第１プロットセグメントを選別し、選別した第１プロットセグメントに基づいてエッセンシャルビデオを生成できる。
【００７２】
ステップ３０５、端末機器は、ユーザによる前記ドラマのエッセンシャルビデオの第１再生指示に応答して、前記サーバに再生要求を送信する。
【００７３】
本ステップでは、前記再生要求は、前記ドラマの識別子を持っており、前記ドラマのエッセンシャルビデオを要求できる。選択的に、第１再生命令は、具体的には、音声命令、ボタン命令などであり得る。第１再生指示は、例えばユーザによる「エッセンシャル視聴開始」の音声入力、又は、例えばユーザによる「エッセンシャル視聴開始」のボタンクリックなどであり得る。
【００７４】
選択的に、前記第１再生命令を入力するためのエントランスが前記ドラマの現在再生画面に設置してもよい。
【００７５】
選択的に、図３Ｂに示されるように、前記ドラマの現在再生画面の下方でユーザに「エッセンシャル視聴開始」ボタンを表示してもよい。ここで、前記ドラマの現在再生画面は完全なドラマの再生に用いられる。
【００７６】
さらに選択的に、ユーザがリモコンを介して端末機器を制御できる場合、リモコンが端末機器に表示した「エッセンシャル視聴開始」ボタンに移動してフォーカスすると、該ボタンの上方には、該ボタンの具体的な機能を解釈するための「本ドラマのエッセンシャルセグメントだけを再生する」通知ウィンドウを表示し、該ボタンの下方には、ユーザにより選択される通知符号「√」を提供し、リモコンがスクリーン付きスマート機器における「エッセンシャル視聴開始」ボタンにフォーカスして、ユーザがリモコンの確認キー（ＯＫキー）を押すと、「エッセンシャル視聴開始」機能をオンにすることを選択することになり、「エッセンシャル視聴開始」機能をオンにした後に通知ウィンドウでの文字と「√」が同時にハイライトされる。
【００７７】
選択的に、誤操作を避けるために、リモコンが「エッセンシャル視聴開始」ボタンにフォーカスした後、リモコンの「ＯＫキー」を押すことによってしかエッセンシャル視聴機能をオンにすることができず、リモコンでの「上」「下」「左」「右」操作が上記通知ウィンドウに対して作用しないように設定し、プレイヤーなどのほかのコントローラを自動的に操作でき、押した後に「エッセンシャル視聴開始」ボタンから離れると、「エッセンシャル視聴開始」操作を終了することに相当し、それに伴い通知ウィンドウが消える。
【００７８】
なお、ステップ３０５及びステップ３０１−ステップ３０４の間には順番が特定されていない。
【００７９】
ステップ３０６、前記サーバは、前記再生要求に基づいて前記端末機器に前記エッセンシャルビデオを含む再生応答を送信する。
【００８０】
本ステップでは、選択的に、前記再生応答はさらに前記エッセンシャルビデオの識別子及び非エッセンシャルビデオの識別子を含む。そのうち、前記非エッセンシャルビデオは、前記ドラマにおける前記エッセンシャルビデオ以外のビデオであってもよい。前記エッセンシャルビデオの識別子は、それに対応したプロットセグメントがエッセンシャルビデオであることを示し、前記非エッセンシャルビデオの識別子は、それに対応したプロットセグメントが非エッセンシャルビデオであることを示す。
【００８１】
なお、前記エッセンシャルビデオの識別子は前記非エッセンシャルビデオの識別子と異なる。
【００８２】
ステップ３０７、前記端末機器は、前記再生応答に応じて、前記エッセンシャルビデオを再生する。
【００８３】
本ステップでは、選択的に、ユーザの視聴体験を考慮すると、前記エッセンシャルビデオ再生を開始させるとき、対応した通知ウィンドウを表示しないとともに、対応した音声放送を行わないようにしてもよい。
【００８４】
選択的に、ユーザが現在の視聴モードを把握できるように、前記エッセンシャルビデオ再生を開始させた後、ユーザに「エッセンシャル視聴モード」を文字で通知できる。さらに選択的に、図３Ｃに示されるように、現在再生画面のシークバーの下方でユーザに「エッセンシャル視聴モード」を通知できる。
【００８５】
なお、エッセンシャル視聴モードでは、エッセンシャルビデオが再生できる。さらに、ユーザの命令に応じて対象となる非エッセンシャルビデオにジャンプして再生してもよい。非エッセンシャル視聴モードでは、完全なドラマが再生できる。
【００８６】
さらに選択的に、ユーザがエッセンシャル視聴モードを容易に終了できるように、エッセンシャルビデオを再生している現在再生画面にエッセンシャル視聴モードを終了するためのエントランスを提供する。例えば、図３Ｄに示されるように、現在再生画面に「エッセンシャル視聴終了」ボタンを表示し、ユーザが該ボタンを選択すると、エッセンシャル視聴モードを終了する。また、例えば、ユーザが「エッセンシャル視聴終了」音声を入力することで、エッセンシャル視聴モードを終了できる。
【００８７】
選択的に、ユーザが前記ドラマエッセンシャルビデオと非エッセンシャルビデオとの関係を容易に把握できるように、ステップ３０７の後にさらに下記ステップ３０８を実行してもよい。
【００８８】
ステップ３０８、前記端末機器は、前記エッセンシャルビデオの識別子及び非エッセンシャルビデオの識別子別々に基づいて、再生プロセスにおいて前記エッセンシャルビデオのドラマにおける再生位置及び非エッセンシャルビデオの前記ドラマにおける再生位置をマークする。
【００８９】
本ステップでは、再生位置は再生時間に対応しており、再生時間を示すことができる。ドラマのすべてのエピソードセグメントのうちいずれか２つのエピソードセグメントの間に発生順序が存在するため、前記エッセンシャルビデオと非エッセンシャルビデオはいずれもドラマにおいて対応した再生位置を有する。
【００９０】
前記エッセンシャルビデオの識別子は、それに対応したプロットセグメントがエッセンシャルビデオであることを示し、前記非エッセンシャルビデオの識別子は、それに対応したプロットセグメントが非エッセンシャルビデオであることを示し、前記エッセンシャルビデオの識別子及び非エッセンシャルビデオの識別子に基づいて、前記エッセンシャルビデオのドラマにおける再生位置及び非エッセンシャルビデオの前記ドラマにおける再生位置を決定でき、さらに、再生プロセスにおいて前記エッセンシャルビデオのドラマにおける再生位置及び非エッセンシャルビデオの前記ドラマにおける再生位置をマークしてもよい。
【００９１】
選択的に、プレイヤーのシークバーにより再生位置を示し、エッセンシャルビデオの再生位置と非エッセンシャルビデオの再生位置に対応したシークバーの色が異なることによって区別するようにしてもよい。さらに選択的に、例えば図３Ｅに示されるように、シークバーにおいて非エッセンシャルセグメントの位置する再生位置に対応した部分が灰色、エッセンシャルセグメントの位置する再生位置に対応した部分が緑であってもよい。
【００９２】
なお、エッセンシャルビデオを再生するために、端末機器は、非エッセンシャルビデオの部分を自動的にジャンプできる。エッセンシャルビデオを再生するプロセスにおいて、ユーザが非エッセンシャルビデオを観たい場合を考慮に入れると、さらに選択的に、ユーザエクスペリエンスを向上させるために、さらに下記ステップ３０９−ステップ３１０を含んでもよい。
【００９３】
ステップ３０９、前記端末機器は、前記ユーザによる前記非エッセンシャルビデオにおける対象となる非エッセンシャルビデオの第２再生指示に応答して、前記対象となる非エッセンシャルビデオの前記ドラマにおける再生位置に基づいて前記対象となる非エッセンシャルビデオにジャンプする。
【００９４】
本ステップでは、前記対象となる非エッセンシャルビデオは、前記非エッセンシャルビデオの一部であり、前記非エッセンシャルビデオにおいて特定の１フレームの画像から前記エッセンシャルビデオの最初フレーム画像までであり、且つ、前記エッセンシャルビデオの最初フレーム画像を含まないビデオとしてもよい。具体的には、第２再生指示に応じて、対象となる非エッセンシャルビデオの前記ドラマにおける再生位置を決定し、前記対象となる非エッセンシャルビデオの前記ドラマにおける再生位置にジャンプして、前記対象となる非エッセンシャルビデオを再生できる。
【００９５】
選択的に、エッセンシャルビデオの再生プロセスにおいて、ユーザにフレームジャンプ再生機能を提供してもよく、例えば、ユーザが、＊分＊秒にジャンプする、第＊分間に早送りする、ある時間に早送り又は巻き戻しするような制御命令を入力できる。さらに、現在再生位置及び制御命令に基づいてジャンプ対象となる再生位置を決定できる。ここで、ジャンプ対象となる再生時間は、対象となるエッセンシャルビデオの再生時間であってもよく、対象となる非エッセンシャルビデオの再生時間であってもよい。ジャンプ対象となる再生時間が対象となるエッセンシャルビデオの再生時間である場合、同様に、対象となるエッセンシャルビデオの前記ドラマにおける再生位置に基づいて前記対象となるエッセンシャルビデオにジャンプできる。
【００９６】
ユーザがエッセンシャルビデオ再生を選択しているため、エッセンシャルビデオの方を視聴したがることを考慮すると、さらに選択的に、ステップ３０９後にさらに下記ステップ３１０を実行してもよい。
【００９７】
ステップ３１０、前記端末機器は、前記対象となる非エッセンシャルビデオの再生が終了した後、前記対象となる非エッセンシャルビデオに隣接するエッセンシャルビデオを再生し続ける。
【００９８】
本ステップでは、前記対象となる非エッセンシャルビデオに隣接するエッセンシャルビデオは、再生時間が前記対象となる非エッセンシャルビデオに隣接するエッセンシャルビデオのプロットセグメントであってもよい。
【００９９】
本実施例によるエッセンシャルビデオの生成方法では、端末機器はユーザによるドラマのエッセンシャルビデオの第１再生指示に応答して、前記サーバにエッセンシャルビデオを要求し、サーバはエッセンシャルビデオを生成してエッセンシャルビデオを端末機器に送信し、端末機器はエッセンシャルビデオを再生し、それによって、ユーザは、自然にスティッチングされて、プロットの展開に筋が通っており且つ人気度の高いプロットセグメントを含むエッセンシャルビデオを観ることができる。
【０１００】
図４は、本発明の実施例によるエッセンシャルビデオの生成方法の実施例３のフロー模式図である。本実施例は、図２に示される実施例を基に、主に、端末によりエッセンシャルビデオを生成し、エッセンシャルビデオを再生するような選択的な実施形態を示している。図４に示されるように、本実施例の方法は、ステップ４０１−ステップ４０８を含み得る。
【０１０１】
ステップ４０１、端末機器は、ドラマのあらすじにおけるプロットキーワードを取得する。
【０１０２】
なお、ステップ４０１はステップ２０１と類似しているため、ここで詳細な説明を省略する。
【０１０３】
ステップ４０２、前記端末機器は、前記プロットキーワードに基づいて、前記プロットキーワードに対応した第１プロットセグメントを取得する。
【０１０４】
なお、ステップ４０２はステップ２０２と類似しているため、ここで詳細な説明を省略する。
【０１０５】
ステップ４０３、前記端末機器は、人気度が予め設定された条件を満たす、前記第１プロットセグメントと異なる第２プロットセグメントを取得する。
【０１０６】
なお、ステップ４０３では、端末機器が第２プロットセグメントを取得するための具体的な方式は、ステップ３０３においてサーバが第２プロットセグメントを取得するための方式と類似しているため、ここで詳細な説明を省略する。
【０１０７】
ステップ４０４、前記端末機器は、前記第１プロットセグメントと前記第２プロットセグメントに基づいて、エッセンシャルビデオを生成する。
【０１０８】
なお、ステップ４０４では、端末機器が第１プロットセグメントと第２プロットセグメントに基づいてエッセンシャルビデオを生成するための具体的な方式は、ステップ３０３においてサーバが第１プロットセグメントと第２プロットセグメントに基づいてエッセンシャルビデオを生成する方式と類似しているため、ここで詳細な説明を省略する。
【０１０９】
ステップ４０５、端末機器は、ユーザによる前記ドラマのエッセンシャルビデオの第１再生指示に応答して、前記エッセンシャルビデオを再生する。
【０１１０】
選択的に、図３に示される実施例と同様に、ステップ４０５後にさらに下記ステップ４０６を含んでもよい。
【０１１１】
ステップ４０６、前記端末機器は、前記エッセンシャルビデオの識別子及び非エッセンシャルビデオの識別子別々に基づいて、再生プロセスにおいて前記エッセンシャルビデオのドラマにおける再生位置及び非エッセンシャルビデオの前記ドラマにおける再生位置をマークする。
【０１１２】
さらに選択的に、図３に示される実施例と同様に、ステップ４０６後にさらに下記ステップ４０７−ステップ４０８を含んでもよい。
【０１１３】
ステップ４０７、前記端末機器は、前記ユーザによる前記非エッセンシャルビデオにおける対象となる非エッセンシャルビデオの第２再生指示に応答して、前記対象となる非エッセンシャルビデオの前記ドラマにおける再生位置に基づいて前記対象となる非エッセンシャルビデオにジャンプする。
【０１１４】
ステップ４０８、前記端末機器は、対象となる前記非エッセンシャルビデオの再生が終了した後、前記対象となる非エッセンシャルビデオに隣接するエッセンシャルビデオを再生し続ける。
【０１１５】
本実施例によるエッセンシャルビデオの生成方法では、端末機器はエッセンシャルビデオを生成して、ユーザによるドラマのエッセンシャルビデオの第１再生指示に応答して、エッセンシャルビデオを再生し、それによって、ユーザは、自然にスティッチングされて、プロットの展開に筋が通っており且つ人気度の高いプロットセグメントを含むエッセンシャルビデオを観ることができる。
【０１１６】
図５は、本発明の実施例によるエッセンシャルビデオの生成装置の実施例１の構造模式図であり、本実施例による装置は、上記方法の実施例に用いられて、そのエッセンシャルビデオ生成機器としての機能を実現できる。図５に示されるように、本実施例の装置は、キーワード取得モジュール５１、第１セグメント取得モジュール５２、第２セグメント取得モジュール５３及び生成モジュール５４を含む。
キーワード取得モジュール５１は、ドラマのあらすじにおけるプロットキーワードを取得するために用いられ、
第１セグメント取得モジュール５２は、前記プロットキーワードに基づいて、前記プロットキーワードに対応した第１プロットセグメントを取得するために用いられ、
第２セグメント取得モジュール５３は、人気度が予め設定された条件を満たす、前記第１プロットセグメントと異なる第２プロットセグメントを取得するために用いられ、
生成モジュール５４は、前記第１プロットセグメントと前記第２プロットセグメントに基づいて、エッセンシャルビデオを生成するために用いられる。
【０１１７】
選択的に、第２セグメント取得モジュール５３は、具体的には、
前記ドラマの再生時間と時間因子に基づいて、エッセンシャル再生時間を決定し、
前記エッセンシャル再生時間とすべての前記第１プロットセグメントの総再生時間に基づいて、人気ビデオ再生時間を決定し、
前記人気ビデオ再生時間に基づいて、前記ドラマに属するプロットセグメントである複数の第３プロットセグメントの中から人気度が予め設定された条件を満たす第２プロットセグメントを取得するために用いられる。
【０１１８】
選択的に、第２セグメント取得モジュール５３は、前記人気ビデオ再生時間に基づいて、複数の第３プロットセグメントの中から人気度が予め設定された条件を満たす第２プロットセグメントを取得し、具体的には、
人気度に応じて第３プロットセグメントをランキングして、人気度が降順でランキングする第３プロットセグメントを得るステップと、
第２プロットセグメントの総時間が前記人気ビデオ再生時間以上となるまで、人気度の降順で第３プロットセグメントの中から第１プロットセグメントと異なる第２プロットセグメントを順次選別するステップとを含む。
【０１１９】
選択的に、第２セグメント取得モジュール５３はさらに、
前記ドラマの弾幕量に基づいて第３プロットセグメントを取得し、
各々の前記第３プロットセグメントの弾幕量に基づいて各前記第３プロットセグメントの人気度を決定する。
【０１２０】
選択的に、生成モジュール５４は、具体的には、前記第１プロットセグメントの前記ドラマにおける再生開始時間と前記第２プロットセグメントの前記ドラマにおける再生開始時間に基づいて、前記エッセンシャルビデオを生成するために用いられる。
【０１２１】
図６は、本発明の実施例によるエッセンシャルビデオの生成装置の実施例２の構造模式図であり、本実施例による装置は、図５に示される実施例を基に、選択的に、受信モジュール５５及び送信モジュール５６をさらに含んでもよい。
【０１２２】
受信モジュール５５は、端末機器による、前記ドラマの識別子を持っている前記ドラマへの再生要求を受信するために用いられ、
送信モジュール５６は、前記端末機器に、前記エッセンシャルビデオを含む再生応答を送信するために用いられる。
【０１２３】
図７は、本発明の実施例によるエッセンシャルビデオの生成装置の実施例３の構造模式図であり、本実施例による装置は、図５に示される実施例を基に、選択的に、ユーザによる前記ドラマのエッセンシャルビデオの第１再生指示に応答して、前記エッセンシャルビデオを再生する再生モジュール５７をさらに含んでもよい。
【０１２４】
選択的に、本実施例の装置はさらに、前記エッセンシャルビデオの識別子及び非エッセンシャルビデオの識別子別々に基づいて、再生プロセスにおいて前記エッセンシャルビデオのドラマにおける再生位置及び非エッセンシャルビデオの前記ドラマにおける再生位置をマークするために用いられるマークモジュール５８を含む。
【０１２５】
選択的に、本実施例の装置はさらにジャンプモジュール５９を含み、前記にジャンプモジュール５９は、
前記ユーザによる前記非エッセンシャルビデオにおける対象となる非エッセンシャルビデオの第２再生指示に応答して、前記対象となる非エッセンシャルビデオの前記ドラマにおける再生位置に基づいて前記対象となる非エッセンシャルビデオにジャンプし、
前記非エッセンシャルビデオの再生が終了した後、前記対象となる非エッセンシャルビデオに隣接するエッセンシャルビデオを再生し続けるために用いられる。
【０１２６】
本実施例の装置は、上記方法に示される実施例の技術案を実行でき、その実現原理及び技術効果が類似しているため、ここで詳細な説明を省略する。
【０１２７】
図８は、本発明の実施例によるエッセンシャルビデオの生成機器の構造模式図であり、図８に示されるように、該エッセンシャルビデオの生成機器は、プロセッサ８１、及びコンピュータ命令を記憶するメモリ８２を含む。
【０１２８】
プロセッサ８１は、該コンピュータ命令を実行して以下の方法を実行する。
ドラマのあらすじにおけるプロットキーワードを取得する。
前記プロットキーワードに基づいて、前記プロットキーワードに対応した第１プロットセグメントを取得する。
人気度が予め設定された条件を満たす、前記第１プロットセグメントと異なる第２プロットセグメントを取得する。
前記第１プロットセグメントと前記第２プロットセグメントに基づいて、エッセンシャルビデオを生成する。
【０１２９】
選択的に、前記人気度が予め設定された条件を満たす第２プロットセグメントを取得するステップは、
前記ドラマの再生時間と時間因子に基づいて、エッセンシャル再生時間を決定するステップと、
前記エッセンシャル再生時間とすべての前記第１プロットセグメントの総再生時間に基づいて、人気ビデオ再生時間を決定するステップと、
前記人気ビデオ再生時間に基づいて、前記ドラマに属するプロットセグメントである複数の第３プロットセグメントの中から人気度が予め設定された条件を満たす第２プロットセグメントを取得するステップとを含む。
【０１３０】
選択的に、前記人気ビデオ再生時間に基づいて、複数の第３プロットセグメントの中から人気度が予め設定された条件を満たす第２プロットセグメントを取得する前記ステップは、
人気度に応じて第３プロットセグメントをランキングして、人気度が降順でランキングする第３プロットセグメントを得るステップと、
第２プロットセグメントの総時間が前記人気ビデオ再生時間以上となるまで、人気度の降順で第３プロットセグメントの中から第１プロットセグメントと異なる第２プロットセグメントを順次選別するステップとを含む。
【０１３１】
選択的に、複数の前記第３プロットセグメントの中から人気度が予め設定された条件を満たす第２プロットセグメントを取得する前に、さらに、
前記ドラマの弾幕量に基づいて第３プロットセグメントを取得するステップと、
各々の前記第３プロットセグメントの弾幕量に基づいて各前記第３プロットセグメントの人気度を決定するステップとを含む。
【０１３２】
選択的に、前記第１プロットセグメントと前記第２プロットセグメントに基づいて、エッセンシャルビデオを生成する前記ステップは、
前記第１プロットセグメントの前記ドラマにおける再生開始時間と前記第２プロットセグメントの前記ドラマにおける再生開始時間に基づいて、前記エッセンシャルビデオを生成するステップを含む。
【０１３３】
選択的に、前記方法はさらに、
端末機器による、前記ドラマの識別子を持っている前記ドラマへの再生要求を受信するステップと、
前記端末機器に、前記エッセンシャルビデオを含む再生応答を送信するステップとを含む。
【０１３４】
選択的に、前記方法はさらに、
ユーザによる前記ドラマのエッセンシャルビデオの第１再生指示に応答して、前記エッセンシャルビデオを再生するステップを含む。
【０１３５】
選択的に、前記方法はさらに、
前記エッセンシャルビデオの識別子及び非エッセンシャルビデオの識別子別々に基づいて、再生プロセスにおいて前記エッセンシャルビデオのドラマにおける再生位置及び非エッセンシャルビデオの前記ドラマにおける再生位置をマークするステップを含む。
【０１３６】
選択的に、前記方法はさらに、
前記ユーザによる前記非エッセンシャルビデオにおける対象となる非エッセンシャルビデオの第２再生指示に応答して、前記対象となる非エッセンシャルビデオの前記ドラマにおける再生位置に基づいて前記対象となる非エッセンシャルビデオにジャンプするステップと、
前記対象となる非エッセンシャルビデオの再生が終了した後、前記対象となる非エッセンシャルビデオに隣接するエッセンシャルビデオを再生し続けるステップとを含む。
【０１３７】
本発明の実施例はさらに記憶媒体を提供し、該記憶媒体における命令がエッセンシャルビデオの生成機器のプロセッサにより実行されると、エッセンシャルビデオの生成機器にエッセンシャルビデオの生成方法を実行させ、該方法は、
ドラマのあらすじにおけるプロットキーワードを取得するステップと、
前記プロットキーワードに基づいて、前記プロットキーワードに対応した第１プロットセグメントを取得するステップと、
人気度が予め設定された条件を満たす、前記第１プロットセグメントと異なる第２プロットセグメントを取得するステップと、
前記第１プロットセグメントと前記第２プロットセグメントに基づいて、エッセンシャルビデオを生成するステップとを含む。
【０１３８】
選択的に、前記人気度が予め設定された条件を満たす第２プロットセグメントを取得するステップは、
前記ドラマの再生時間と時間因子に基づいて、エッセンシャル再生時間を決定するステップと、
前記エッセンシャル再生時間とすべての前記第１プロットセグメントの総再生時間に基づいて、人気ビデオ再生時間を決定するステップと、
前記人気ビデオ再生時間に基づいて、前記ドラマに属するプロットセグメントである複数の第３プロットセグメントの中から人気度が予め設定された条件を満たす第２プロットセグメントを取得するステップとを含む。
【０１３９】
選択的に、前記人気ビデオ再生時間に基づいて、複数の第３プロットセグメントの中から人気度が予め設定された条件を満たす第２プロットセグメントを取得する前記ステップは、
人気度に応じて第３プロットセグメントをランキングして、人気度が降順でランキングする第３プロットセグメントを得るステップと、
第２プロットセグメントの総時間が前記人気ビデオ再生時間以上となるまで、人気度の降順で第３プロットセグメントの中から第１プロットセグメントと異なる第２プロットセグメントを順次選別するステップとを含む。
【０１４０】
選択的に、複数の前記第３プロットセグメントの中から人気度が予め設定された条件を満たす第２プロットセグメントを取得する前に、さらに、
前記ドラマの弾幕量に基づいて第３プロットセグメントを取得するステップと、
各々の前記第３プロットセグメントの弾幕量に基づいて各前記第３プロットセグメントの人気度を決定するステップとを含む。
【０１４１】
選択的に、前記第１プロットセグメントと前記第２プロットセグメントに基づいて、エッセンシャルビデオを生成するステップは、
前記第１プロットセグメントの前記ドラマにおける再生開始時間と前記第２プロットセグメントの前記ドラマにおける再生開始時間に基づいて、前記エッセンシャルビデオを生成するステップを含む。
【０１４２】
選択的に、前記方法はさらに、
端末機器による、前記ドラマの識別子を持っている前記ドラマへの再生要求を受信するステップと、
前記端末機器に、前記エッセンシャルビデオを含む再生応答を送信するステップとを含む。
【０１４３】
選択的に、前記方法はさらに、
ユーザによる前記ドラマのエッセンシャルビデオの第１再生指示に応答して、前記エッセンシャルビデオを再生するステップを含む。
【０１４４】
選択的に、前記方法はさらに、
前記エッセンシャルビデオの識別子及び非エッセンシャルビデオの識別子別々に基づいて、再生プロセスにおいて前記エッセンシャルビデオのドラマにおける再生位置及び非エッセンシャルビデオの前記ドラマにおける再生位置をマークするステップを含む。
【０１４５】
選択的に、前記方法はさらに、
前記ユーザによる前記非エッセンシャルビデオにおける対象となる非エッセンシャルビデオの第２再生指示に応答して、前記対象となる非エッセンシャルビデオの前記ドラマにおける再生位置に基づいて前記対象となる非エッセンシャルビデオにジャンプするステップと、
前記対象となる非エッセンシャルビデオの再生が終了した後、前記対象となる非エッセンシャルビデオに隣接するエッセンシャルビデオを再生し続けるステップとを含む。
【０１４６】
当業者にとって明らかなように、上記各方法の実施例を実現するすべて又は一部のステップがプログラム命令に関連するハードウェアで完成可能であることが理解できる。前記プログラム命令はコンピュータ可読記憶媒体に記憶され得る。該プログラム命令が実行されると、上記各方法の実施例を含むステップが実行され、前記記憶媒体には、読み出し専用メモリ（Ｒｅａｄ  ｏｎｌｙ  ｍｅｍｏｒｙ，ＲＯＭ）、ランダム-アクセスが可能な記憶装置（Ｒａｎｄｏｍ  ａｃｃｅｓｓ  ｍｅｍｏｒｙ，ＲＡＭ）、磁気ディスク又は光ディスクなど、プログラムコードを記憶可能な様々な媒体が含まれる。
【０１４７】
最後に、なお、以上の各実施例は、本発明の技術案を説明するために過ぎず、限定的なものではなく、前記各実施例にて本発明を詳細に説明したが、当業者にとって明らかなように、前記各実施例に記載の技術案を修正したり、又はその一部又はすべての技術特徴について同等置換を行ったりすることができ、これらの修正又は置換により対応した技術案の趣旨が本発明の各実施例の技術案の範囲から逸脱することがない。
【図１】
2019208239.tif 000003
【図２】
2019208239.tif 000004
【図３Ａ】
2019208239.tif 000005
【図３Ｂ】
2019208239.tif 000006
【図３Ｃ】
2019208239.tif 000007
【図３Ｄ】
2019208239.tif 000008
【図３Ｅ】
2019208239.tif 000009
【図４】
2019208239.tif 000010
【図５】
2019208239.tif 000011
【図６】
2019208239.tif 000012
【図７】
2019208239.tif 000013
【図８】
2019208239.tif 000014